(57)【要約】 【課題】座部を大幅に変容可能とし、使用時の自由度が高く、産業上価値のあるソファーベッドを提供する。【解決手段】第１の座部２０と第２の座部３０とを組み合わせて成り、ベッドとソファとのいずれにも使用可能なソファーベッド１０において、第１の座部２０は、円形２１の一部を直線２２で切り欠くとともにコーナー２３を形成した形状に形成され、第２の座部３０は円形部３１に重ねて長方形部３２を接合した形状に形成され、第１の座部２０の直線２２部分を第２の座部３０の長方形部３２の側面３３に接合することでハート形のソファを構成し、第１の座部２０の直線２２部分を第２の座部３０の長方形部３２の端面３５に接合することで長手形のソファ兼ベッドを構成する。【選択図】図１
2005087452.tif 000002
【特許請求の範囲】
【請求項１】
第１の座部と第２の座部とを組み合わせて成り、ベッドとソファとのいずれにも使用可能なソファーベッドにおいて、
第１の座部は、円形の一部を直線で切り欠くとともにコーナーを形成した形状に形成され、第２の座部は円形部に重ねて長方形部を接合した形状に形成され、
前記第１の座部の直線部分を前記第２の座部の長方形部の側面に接合することでハート形のソファを構成し、
前記第１の座部の直線部分を前記第２の座部の長方形部の端面に接合することで長手形のソファ兼ベッドを構成する
ことを特徴とするソファーベッド。
【請求項２】
第１の座部と第２の座部とを組み合わせて成り、ベッドとソファとのいずれにも使用可能なソファーベッドにおいて、
第１の座部は、円形の一部を直線で切り欠くとともにコーナーを形成した形状に形成され、第２の座部は円形部に重ねて長方形部を接合した形状に形成され、
前記第１の座部の直線部分を前記第２の座部の長方形部の側面に接合することでハート形のソファを構成し、
前記第１の座部の直線部分を前記第２の座部の長方形部の端面に接合することで長手形のソファ兼ベッドを構成し、
前記第１の座部の要所の背側の裏面に受けパイプが固設され、該受けパイプに挿脱可能で挿入して設置したとき、前記第１の座部の背後に起立する略Ｌ字形のクッション保持部材を設けるとともに、前記第２の座部の要所の背側の裏面に受けパイプが固設され、該受けパイプに挿脱可能で挿入して設置したとき、前記第２の座部の背後に起立する略Ｌ字形のクッション保持部材を設けた
ことを特徴とするソファーベッド。
【発明の詳細な説明】
【技術分野】
【０００１】
本発明は、第１の座部と第２の座部とを組み合わせて成り、ベッドとソファとのいずれにも使用可能なソファーベッドに関する。
【背景技術】
【０００２】
従来の技術としては、例えば特許文献１に示すようなものがある。  
すなわち、特許文献１には、ベッドフレームに、移動自在、かつ任意の位置で固定可能な、背もたれの弾性体を支持する背もたれフレームを設け、ソファ利用時に、座部の奥行きの長さを用途に合わせて調節することを可能にしたソファーベッドに関する技術が開示されている。
【０００３】
【特許文献１】特開２００２−１９９９６７号公報
【発明の開示】
【発明が解決しようとする課題】
【０００４】
しかしながら、このような従来の技術では、単に背もたれフレームを移動自在、かつ任意の位置で固定可能としたに過ぎないので、座部に関しては変化がなく、自由度に乏しいという問題点があった。
【０００５】
本発明は、このような従来の技術が有する問題点に着目してなされたもので、座部を大幅に変容可能とし、使用時の自由度が高く、産業上価値のあるソファーベッドを提供することを目的としている。
【課題を解決するための手段】
【０００６】
かかる目的を達成するための本発明の要旨とするところは、次の各項の発明に存する。
［１］第１の座部（２０）と第２の座部（３０）とを組み合わせて成り、ベッドとソファとのいずれにも使用可能なソファーベッド（１０）において、
第１の座部（２０）は、円形（２１）の一部を直線（２２）で切り欠くとともにコーナー（２３）を形成した形状に形成され、第２の座部（３０）は円形部（３１）に重ねて長方形部（３２）を接合した形状に形成され、
前記第１の座部（２０）の直線（２２）部分を前記第２の座部（３０）の長方形部（３２）の側面（３３）に接合することでハート形のソファを構成し、
前記第１の座部（２０）の直線（２２）部分を前記第２の座部（３０）の長方形部（３２）の端面（３５）に接合することで長手形のソファ兼ベッドを構成する
ことを特徴とするソファーベッド（１０）。
【０００７】
［２］第１の座部（２０）と第２の座部（３０）とを組み合わせて成り、ベッドとソファとのいずれにも使用可能なソファーベッド（１０）において、
第１の座部（２０）は、円形（２１）の一部を直線（２２）で切り欠くとともにコーナー（２３）を形成した形状に形成され、第２の座部（３０）は円形部（３１）に重ねて長方形部（３２）を接合した形状に形成され、
前記第１の座部（２０）の直線（２２）部分を前記第２の座部（３０）の長方形部（３２）の側面（３３）に接合することでハート形のソファを構成し、
前記第１の座部（２０）の直線（２２）部分を前記第２の座部（３０）の長方形部（３２）の端面（３５）に接合することで長手形のソファ兼ベッドを構成し、
前記第１の座部（２０）の要所の背側の裏面に受けパイプ（１５）が固設され、該受けパイプ（１５）に挿脱可能で挿入して設置したとき、前記第１の座部（２０）の背後に起立する略Ｌ字形のクッション保持部材（１７）を設けるとともに、前記第２の座部（３０）の要所の背側の裏面に受けパイプ（１５）が固設され、該受けパイプ（１５）に挿脱可能で挿入して設置したとき、前記第２の座部（３０）の背後に起立する略Ｌ字形のクッション保持部材（１８）を設けた
ことを特徴とするソファーベッド（１０）。
【０００８】
前記本発明は次のように作用する。  
本発明に係るソファーベッド（１０）は、第１の座部（２０）と第２の座部（３０）とを組み合わせて成り、ベッドとソファとのいずれにも使用可能となっている。
【０００９】
第１の座部（２０）の、円形（２１）の一部を直線（２２）で切り欠いてコーナー（２３）を形成した形状の直線（２２）部分を、第２の座部（３０）の、円形部（３１）に重ねて長方形部（３２）を接合した形状の該長方形部（３２）の側面（３３）に接合することで、第１の座部（２０）の円形（２１）と第２の座部（３０）の円形部（３１）が隣接し、第２の座部（３０）の長方形部（３２）が基部となって、ハート形のソファが形成される。そして、第１の座部（２０）の直線（２２）部分を第２の座部（３０）の長方形部（３２）の端面（３５）に接合することで、第１の座部（２０）の円形（２１）と第２の座部（３０）の円形部（３１）が両端部に位置し、長手形のソファ兼ベッドが形成される。
【００１０】
第１の座部（２０）の要所と第２の座部（３０）の要所の背側の裏面の受けパイプ（１５）には、クッション保持部材（１７，１８）を挿脱して使用する。受けパイプ（１５）に略Ｌ字形のクッション保持部材（１７，１８）を挿入して設置したとき、各クッション保持部材（１７，１８）は、第１の座部（２０）及び第２の座部（３０）の背後に起立する。この起立したクッション保持部材（１７，１８）に背当てクッションを支えさせて背を凭せかけることが出来る。クッション保持部材（１７，１８）を外したときは、第１の座部（２０）と第２の座部（３０）の上面を広く使うことが出来、ベッドとして使用するような場合に便利である。
【発明の効果】
【００１１】
本発明に係るソファーベッドによれば、第１の座部と第２の座部との組み合わせを変え、ベッドやソファのさまざまな形態で使用することが出来る。特に、ハート形のソファにしたときは、斬新で魅力的なものとなり、長手形にした場合も、ソファに利用できるとともに、脚を延ばせるベッドとして利用することが出来る。また、必要により、クッション保持部材を装着してクッションを保持させ、背凭れとして使用可能である。
【００１２】
このように、座部を大幅に変容可能とし、使用時の自由度が高く、産業上価値のあるソファーベッドとなる。
【発明を実施するための最良の形態】
【００１３】
以下、図面に基づき本発明の好適な一実施の形態を説明する。  
図１〜図１２は本発明の一実施の形態を示している。  
ソファーベッド１０は、第１の座部２０と第２の座部３０とを組み合わせて成り、図１及び図２に示すハート形と、図１０及び図１１に示す長手形に変容させ、ベッドとソファとのいずれにも使用可能なものである。
【００１４】
図３でわかるように、第１の座部２０は、円形２１の一部を直線２２で切り欠くとともにコーナー２３を形成した形状に形成されている。図４でわかるように、第２の座部３０は円形部３１に重ねて長方形部３２を接合した形状に形成され、長方形部３２の外周は、側面３３、背面３４、端面３５をなしている。
【００１５】
図１及び図２でわかるように、第１の座部２０の直線２２部分を第２の座部３０の長方形部３２の側面３３に接合することでハート形のソファが構成され、図１１及び図１２でわかるように、第１の座部２０の直線２２部分を、第２の座部３０の長方形部３２の端面３５に接合することで長手形のソファ兼ベッドが形成される。
【００１６】
図２及び図５から図７でわかるように、第１の座部２０，第２の座部３０の底面には、脚１１，１１…が設けられている。そして、第１の座部２０の要所の背側の裏面に受けパイプ１５，１５…が固設され、受けパイプ１５に挿脱可能で挿入して設置したとき、第１の座部２０の背後に起立する略Ｌ字形のクッション保持部材１７（図８参照）を設けるとともに、第２の座部３０の要所の背側の裏面にも受けパイプ１５，１５…が固設され、受けパイプ１５，１５…に挿脱可能で挿入して設置したとき、第２の座部３０の背後に起立する略Ｌ字形のクッション保持部材１８（図９参照）が設けられている。
【００１７】
図８及び図９に示すように、クッション保持部材１７，１８は、略Ｕ字形の背後支持部１７ａ，１８ａに、受けパイプ１５への挿脱部１７ｂ，１８ｂをＬ字形に折り曲げて成形して成る。
【００１８】
そして、図１及び図２、図５及び図６、図１０〜図１２でわかるように、クッション保持部材１７，１８を装着したとき、第１の座部２０，第２の座部３０上で、クッション保持部材１７，１８の前に置く背当てクッション２６，３６が用意されている。
【００１９】
本発明は次のように作用する。  
本発明に係るソファーベッド１０は、第１の座部２０と第２の座部３０とを組み合わせて成り、ベッドとソファとのいずれにも使用可能となっている。
【００２０】
第１の座部２０の、円形２１の一部を直線２２で切り欠いてコーナー２３を形成した形状の直線２２部分を、第２の座部３０の、円形部３１に重ねて長方形部３２を接合した形状の該長方形部３２の側面３３に接合することで、第１の座部２０の円形２１と第２の座部３０の円形部３１が隣接し、第２の座部３０の長方形部３２が基部となって、ハート形のソファが形成される。そして、第１の座部２０の直線部分を第２の座部３０の長方形部３２の端面３５に接合することで、第１の座部２０と第２の座部３０の円形部３１が両端部に位置し、長手形のソファ兼ベッドが形成される。
【００２１】
第１の座部２０の要所と第２の座部３０の要所の背側の裏面の受けパイプ１５，１５…には、クッション保持部材１７，１８の挿脱部１７ｂ，１８ｂを挿脱して使用する。受けパイプ１５，１５…に略Ｌ字形のクッション保持部材１７，１８の挿脱部１７ｂ，１８ｂを挿入して設置したとき、各クッション保持部材１７，１８の背後支持部１７ａ，１８ａが第１の座部２０及び第２の座部３０の背後に起立する。この起立したクッション保持部材１７，１８の挿脱部１７ｂ，１８ｂに背当てクッション２６，３６を支えさせて背を凭せかけることが出来る。クッション保持部材１７，１８を外して背当てクッション２６，３６を除いたときは、第１の座部２０と第２の座部３０の上面を広く使うことが出来、ベッドとして使用するような場合に便利である。
【図面の簡単な説明】
【００２２】
【図１】本発明の一実施の形態に係るソファーベッドのハート形にした状態を示す平面図である。
【図２】本発明の一実施の形態に係るソファーベッドのハート形にした状態を示す斜視図である。
【図３】本発明の一実施の形態に係るソファーベッドの第１の座部を示す平面図である。
【図４】本発明の一実施の形態に係るソファーベッドの第２の座部を示す平面図である。
【図５】本発明の一実施の形態に係るソファーベッドのハート形にした状態を示す正面図である。
【図６】本発明の一実施の形態に係るソファーベッドのハート形にした状態を示す背面図である。
【図７】本発明の一実施の形態に係るソファーベッドのハート形にした状態を示す底面図である。
【図８】本発明の一実施の形態に係るソファーベッドの第１の座部に用いるクッション保持部材の斜視図である。
【図９】本発明の一実施の形態に係るソファーベッドの第２の座部に用いるクッション保持部材の斜視図である。
【図１０】本発明の一実施の形態に係るソファーベッドの長手形にした状態を示す平面図である。
【図１１】本発明の一実施の形態に係るソファーベッドの長手形にした状態を示す斜視図である。
【図１２】本発明の一実施の形態に係るソファーベッドの長手形にした状態を示す背面図である。
【符号の説明】
【００２３】
１０…ソファーベッド
１１…脚
１５…受けパイプ
１７…クッション保持部材
１７ａ…背後支持部
１７ｂ…挿脱部
１８…クッション保持部材
１８ａ…背後支持部
１８ｂ…挿脱部
２０…第１の座部
２１…円形
２２…直線
２３…コーナー
２６…背当てクッション
３０…第２の座部
３１…円形部
３２…長方形部
３３…側面
３４…背面
３５…端面
３６…背当てクッション
【図１】
2005087452.tif 000003
【図２】
2005087452.tif 000004
【図３】
2005087452.tif 000005
【図４】
2005087452.tif 000006
【図５】
2005087452.tif 000007
【図６】
2005087452.tif 000008
【図７】
2005087452.tif 000009
【図８】
2005087452.tif 000010
【図９】
2005087452.tif 000011
【図１０】
2005087452.tif 000012
【図１１】
2005087452.tif 000013
【図１２】
2005087452.tif 000014